(57)【要約】【目的】  乳児又は寝たきりの病人、老人等が使用する使い捨て紙おむつにおいて、大小便の感知を各々別々のセンサーが作動して離れた所にいる看護人等に知らせるようにした濡れ検知装置である。【構成】  おむつ本体とこれを支持する捲着具と離れた位置の検知受信器とから構成し、前当て部には、所定位置に小便用センサーを位置し、尻当て部には、所定間隔を設けて吸湿部となる大便用センサーを別個に装設したものである。また、センサー接続端部には、小便用導電線と大便用導電線との共通線となる共通用導電線との３本を配設してある。【特許請求の範囲】
【請求項１】
使い捨てのおむつ本体（１）とこれを支持する捲着具（２）と所定の距離を置いて使用する検知受信器（３）とからなる使い捨て紙おむつの濡れ検知装置において、前記おむつ本体（１）には、前当て部（４）と尻当て部（５）とを有し、該前当て部（４）の近傍には、所定位置に導電部（８）を設けた吸湿部となる小便用センサー（６）を位置し、該尻当て部（５）の近傍には、該小便用センサー（６）より所定間隔を設けて導電部（８）を設けた吸湿部となる大便用センサー（７）を別個に装設したことを特徴とした使い捨て紙おむつの濡れ検知装置。
【請求項２】
おむつ本体（１）には、所定位置にセンサー接続端部（１２）を装設し、該センサー接続端部（１２）には、小便用導電線（９）と大便用導電線（１１）とを連接し、且つ該センサー接続端部（１２）には、核小便用導電線（９）と該大便用導電線（１１）との共通線となる１本の共通用導電線（１０）を接続したことを特徴とする請求項１の使い捨て紙おむつの濡れ検知装置。
【請求項３】
請求項２のセンサー接続端部（１２）に着脱自在に接続する該捲着具（２）には、検知確認端部（１５）、電池（１６）及び発振部付検知器（１７）を連結すると共に、内部にアンテナ（１８）を配線したことを特徴とした請求項２の使い捨て紙おむつの濡れ検知装置。
【発明の詳細な説明】
【技術分野】
【０００１】  本発明は、乳児又は寝たきりの老人等が使用する使い捨て紙おむつにおいて、おむつに大小便が別々に濡れた場合に本人にはメロディー等の音響がわからず、離れた所にいる第三者の看護人等に直ちに報知して取り換えることができる使い捨て紙おむつの濡れ検知装置に関するものである。
【背景技術】
【０００２】  近年この種の紙おむつの濡れ検知するものでは、乳児、老人又は病人等に使用されているおむつ類では、内部に音響がでる検知発生器が直接に装着されているものが、または、おむつ内に配置した湿度検知用の湿度センサーに反応したものをベルト等に設けた発信装置より発振された信号を遠方に位置する検知受信器でキャッチすることによって母親等が着用している乳児等の汚染を容易に判断するものが知られている。
（例えば、実公平６−７６９８号公報参照）
【発明の開示】
【発明が解決しよとうする課題】
【０００３】  従来の技術で述べたもののうち前者のものは、おむつが大小便による濡れによって、直接おむつよりメロディー等の音声が聞こえるために、乳児等の安眠を妨害され、また老人等では音声が聞こえることで大変に恥ずかしい思いをするものである。
また、後者のものにおいては、おむつ本体よりの音声等は鳴らず乳児又は病人等の使用者が充分に安眠ができると共に、おむつを取り換える第三者の母親又は看護人は、離れた場所にいても汚染された状態を知ることができる便利さがあるが、然しこの場合は、僅かな小便等の少量の吸湿に対してもおむつ全体に配置した湿度センサーが作動し、発信部より検知器を経て発信作用をするものである。
本発明は、上記従来の欠点に鑑みてなされたものであり、その主たる目的とする所は、おむつ本体の内部に小便用センサーと大便用センサーとを各々別個に装設して、寝たきりの老人等の使用者が大便又は小便をした時におむつ本体内の各々の湿度センサーが別個に作動するようにしてある。また、大便又は小便の各々のセンサー部分の導電線を３本使用し、２本は、各々大便用と小便用との専用に使用し、他の１本を両者の共通線として使用した少ない配線とした点にある。更に、おむつ本体に設けてあるセンサー接続端部にベルト等の捲着具を連結し、この発信装置より発振された信号及び色別を遠方に位置する検知受信器が指示して容易に知ることができる。
【課題を解決するための手段】
【０００４】  本発明は、上記目的を達成するために、使い捨て紙おむつ本体（１）とこれに接続される伸縮自在の捲着具（２）と、所定の距離を離して使用する検知受信器（３）とより構成される。そして、該おむつ本体（１）には、前当て部（４）と尻当て部（５）とを設け、該前当て部（４）の近傍には、小便用センサー（６）を装設し、該尻当て部（５）の近傍には、大便用センサー（７）を装設してある。また、おむつ本体（１）に設けられているセンサー接続端部（１２）には、小便用導電線（９）と大便用導電線（１１）との外に共通線となる１本の共通用導電線（１０）を接続してある。更に、捲着具（２）には、検知確認端部（１５）、発振部付検知器（１７）及びアンテナ（１８）を設け、検知受信器（３）によってキャッチすることによって、家族内及び病院等で看護人が大便か小便によるものか容易に判明することができる使い捨て紙おむつの濡れ検知装置を提供するものである。
【発明の効果】
【０００５】  本発明は上述の通り構成されているので、おむつ本体を使用する乳児又は寝たきりの病人、老人等が大小便によっておむつが汚染された場合には、大便による汚染か、小便による汚染かの判断が遠方にいても容易に判別できる従来にない便利な優れた効果がある。また、おむつ本体より音声等が発生されず乳児又は使用者が充分に安心して安眠ができると共に、おむつを取り換えする第三者の母親又は看護人等が離れている所にいても大小便が各々汚染された状態を知ることができる便利な効果がある。また、汚染されたおむつ本体をベルト等の捲着具より取り外して容易に取り換えすることによって再度の使用が簡単にできる効果がある。そして、おむつ本体には、２ヶ所の大小便センサーと２本の大小便用導電線と１本の共通用導電線との少ない配線によって充分対応できる効果と、印刷等の手段によって安価に制作できる効果もある。また、おむつ本体に設けたセンサー接続端部と、捲着具に設けた検知確認端部とは、３ヶ所を接続ホックまたは接続ジャックによって着脱が極めて容易にできる効果がある。更に、おむつ本体より離れた位置に設けた検知受信器は、メロディー発生部または排便回数を記憶及び発光ダイオードの色別による表示面等によって大小便の汚染した状態を携帯中でも容易に知ることができると共に、壁等に設置しても常時状態を知ることができるので、何人でも大変に便利となる効果がある。
【発明を実施するための最良の形態】
【０００６】  本発明は、上記の如き構成であり、おむつ本体（１）の端部に設けてあるセンサー接続端部（１２）の導電性ホック（１３）と、ベルト等の捲着具（２）に設けてある検知確認端部（１５）の接続ホック（１４）とを連結し、図３に示す如く着用する場合には、該捲着具（２）の両端に設けた接着テープ（１９）（１９）等を以っておむつ本体（１）の腰回りの外側に取り付けた状態で使用者の腰部に被着する。
次にこの状態の時に、母親、看護人等が検知受信器（３）をＯＮにした状態で携帯するが、壁面等に掛吊して常時見られる所に設置する。そして、乳児、老人等の使用者が、大便、または小便等の排尿している時には、おむつ本体（１）に配設してある大小便センサー（６）、（７）の各々の部分の抵抗が湿度により変化し、接続ホック又は接統ジャックにより捲着具（２）の発振部付検知器（１７）に接続したアンテナ（１８）より発信する。この発信信号を遠方の大便又は小便が判別できる検知受信器（３）が反応してメロディーを鳴らすものである。また、使用に応じて表示面（２１）に色別によって知らせることができる。汚れたおむつ本体（１）を取り換えて新規なおむつ本体（１）を該捲着具（２）に接続して繰り返し使用するものである。
【実施例】
【０００７】  次に本発明の実施例を図面について説明すると、図３は、おむつ本体（１）を着用組立て状態を示すもので、このおむつ本体（１）のおむつの濡れ検知装置によれば、使い捨て紙製のおむつ本体（１）と、これに取付けて使用する伸縮自在等のベルト状の捲着具（２）と、一定の距離を置いて使用する検知受信器（３）とより構成される。前記おむつ本体（１）は、前方の前当て部（４）と後方の尻当て部（５）を設けてある。該前当て部（４）には、例えば、図６に示す如く小便用センサー（６）を位置し、該尻当て部（５）には、大便用センサー（７）を配設する。該小便用センサー（６）と該大便用センサー（７）には、図７に示す如く、表裏の薄紙の不織部（２６）、（２６）の間に位置し、その一部に検知するための吸湿部（２５）を敷設してある。
該小便用センサー（６）と該大便用センサー（７）には、、各々２個の導電部（８）（８）を設け、該導電部（８）（８）には、各々途中が絶縁状態としてある小便用導電線（９）と大便用導電線（１１）とを接続すると共に、端部は表面に露出しているセンサー接続端部（１２）に接続されている。更に、該小便用センサー（６）と該大便用センサー（７）とに位置する導電部（８）（８）には、両者の共通作動をする共通用導電線（１０）を列設状態に連結してある。該共通用導電線（１０）の端部は、該センサー接続端部（１２）に接続されている。【０００８】  次に、図２に示すものは、ベルト等の捲着具（２）は、各種の伸縮自在等の構成材料で長手方向に構成され、内部にアンテナ（１８）を長手方向に配線し、該アンテナ（１８）の一端部には、発振部付検知器（１７）及び電池（１６）を介して該センサー接続端部（１２）と着脱自在に接続する検知確認端部（１５）を装設してある。符号（１９）は、着用の時に使用する止着テープを示したものである。【０００９】  更に、図４に示すものは、センサー接続端部（１２）及び検知確認端部（１５）の各々の小便用、共通用及び大便用の各導電部に導電性ホック（１３）（１３）及び接続ホック（１４）（１４）を使用した状態を示すものである。
また、図５に示すものは、センサー接続端部（１２）及び検知確認端部（１５）の各々の小便用、共通用及び大便用の各導電部に差込用のジャック（２８）（２８）及び受け口側の接続ジャック（２９）（２９）を使用した状態を示したものである。【００１０】  次に、図９に示すものは前記検知受信器（３）には、表面に例えば大便、小便等の回数を記憶する又は色別等の表示面（２１）を装設すると共に、内部に受信用の電源となる乾電池を収納してある。また該検知受信器（３）は、ポケットベル用又は壁等に掛吊する形状に形成され、且つその一部にＯＮ、ＯＦＦのスイッチ（２４）と、検知量設定切り換えスイッチ（２２）及びメロディー音量又は発光ダイオードの色別調節部（２３）等を適宜装設する構成となっている。
更に、本発明においては、共通用導電線（１０）と各々の小便用センサー（６）と大便用センサー（７）との間には、１．３Ｖ〜１．５Ｖの電圧が係り、細菌等を抹殺の役目を果している。
【図面の簡単な説明】
【００１１】
【図１】  おむつ本体を開放した状態の内部を開示した正面図である。
【図２】  本発明の伸縮自在のベルト等の捲着具の内部を開示した正面図である。
【図３】  本発明のおむつ本体を組み立て着用した状態の斜面図である。
【図４】  本発明の導電性の接続ホックを利用した展開図である。
【図５】  同じく本発明の接続ジャックを使用した展開図である。
【図６】  本発明の３本の導電線を使用したセンサーの一部を開示した正面図である。
【図７】  本発明の図６に示す縦断側面図である。
【図８】  本発明の３本の導電線の配設状態を示し一部欠除した展開正面図である。
【図９】  本発明の検知受信器の正面図である。
【符号の説明】
【００１２】１        おむつ本体
２        捲着具
３        検知受信器
４        前当て部
５        尻当て部
６        小便用センサー
７        大便用センサー
８        導電部
９        小便用導電線
１０      共通用導電線
１１      大便用導電線
１２      センサー接続端部
１３      導電性ホック
１４      接続ホック
１５      検知確認端部
１７      発振部付検知器
１８      アンテナ
２１      表示部
２２      検知量設定切り替えスイッチ
２４      スイッチ
２５      吸湿部
２６      不織布
２８      ジャック
２９      接続ジャック
【図１】
2005323981.tif 000002
【図２】
2005323981.tif 000003
【図３】
2005323981.tif 000004
【図４】
2005323981.tif 000005
【図５】
2005323981.tif 000006
【図６】
2005323981.tif 000007
【図７】
2005323981.tif 000008
【図８】
2005323981.tif 000009
【図９】
2005323981.tif 000010